(57)【要約】  【課題】  ベースに光学素子ホルダが搭載されるときの作業性を従来より向上することができる光ヘッド装置を提供する。  【解決手段】  光ヘッド装置は、回折素子３３が載置される光学素子ホルダ７０と、光学素子ホルダ７０に対して回折素子３３の光軸を中心として回転可能に光学素子ホルダ７０に係合する円弧壁８１を有するガイド部材８０と、装置フレームに対する光学素子ホルダ７０およびガイド部材８０の位置を保持可能に光学素子ホルダ７０およびガイド部材８０を装置フレーム側に付勢する板バネ９０とを有し、光学素子ホルダ７０、ガイド部材８０および板バネ９０は、装置フレームに搭載される前に板バネ９０の係止穴９２ａによってユニット１００にされることを特徴とする。【選択図】  図１３
2010033625.tif 000002
【特許請求の範囲】
【請求項１】
レーザ光源と、受光素子と、前記レーザ光源から出射されたレーザ光を光記録ディスクに導く往路および前記光記録ディスクからの反射光を前記受光素子に導く復路の少なくとも一部を構成する光学素子と、前記レーザ光源、前記受光素子および前記光学素子が搭載されたベースとを有する光ヘッド装置において、
前記光学素子が載置される光学素子ホルダと、
前記ベースに対する前記光学素子ホルダの位置を保持可能に前記光学素子ホルダを前記ベース側に付勢する付勢部材とを有し、
前記付勢部材は、前記光学素子ホルダおよび前記付勢部材が前記ベースに搭載されているときに弾性変形の復帰力によって前記光学素子ホルダを前記ベース側に付勢する付勢部と、前記光学素子ホルダおよび前記付勢部材が前記ベースに搭載される前に前記復帰力に抗して前記光学素子ホルダおよび前記付勢部材を一体品にさせる係止部とを有することを特徴とする光ヘッド装置。
【請求項２】
前記光学素子の光軸を中心として回転可能に前記光学素子ホルダが係合するホルダ係合部を有するガイド部材を有し、
前記付勢部材は、前記ベースに対する前記光学素子ホルダおよび前記ガイド部材の位置を保持可能に前記光学素子ホルダおよび前記ガイド部材を前記ベース側に付勢し、
前記ガイド部材は、前記光軸と直交する方向に前記ベース上をスライド移動可能に前記ベースに係合するベース係合部を有し、
前記付勢部は、前記光学素子ホルダ、前記ガイド部材および前記付勢部材が前記ベースに搭載されているときに弾性変形の復帰力によって前記光学素子ホルダおよび前記ガイド部材を前記ベース側に付勢し、
前記係止部は、前記光学素子ホルダ、前記ガイド部材および前記付勢部材が前記ベースに搭載される前に前記復帰力に抗して前記ガイド部材に係止することによって、前記光学素子ホルダ、前記ガイド部材および前記付勢部材を一体品にさせることを特徴とする請求項１に記載の光ヘッド装置。
【請求項３】
前記係止部は、前記一体品が前記ベースに搭載されているときに、係止が解除されることを特徴とする請求項１または請求項２に記載の光ヘッド装置。
【請求項４】
前記ベースは、前記付勢部の付勢方向に形成された一対の壁部を有し、
前記一対の壁部は、前記付勢方向の隙間が前記付勢方向における前記一体品の幅より小さく形成され、
前記一体品は、前記隙間内に挿入されることによって前記ベースに搭載されることを特徴とする請求項３に記載の光ヘッド装置。
【請求項５】
前記係止部は、前記付勢部の付勢方向から係止可能に構成されていることを特徴とする請求項１から請求項４までの何れかに記載の光ヘッド装置。
【請求項６】
前記付勢部は、前記一体品が前記ベースに搭載されるときに移動させられる方向に直交して前記光学素子の光軸を通る平面と、前記光軸を通り前記平面に直交する平面とに対して面対称に形成されていることを特徴とする請求項１から請求項５までの何れかに記載の光ヘッド装置。
【請求項７】
レーザ光源と、受光素子と、前記レーザ光源から出射されたレーザ光を光記録ディスクに導く往路および前記光記録ディスクからの反射光を前記受光素子に導く復路の少なくとも一部を構成する光学素子と、前記レーザ光源、前記受光素子および前記光学素子が搭載されたベースとを有する光ヘッド装置であって、
前記光学素子が載置される光学素子ホルダと、
前記光学素子を光軸に対して調整した状態で前記光学素子ホルダを保持するガイド部材と、前記ガイド部材を前記ベース側に付勢する付勢部材と、を前記光軸に沿って前記ベースに配置することにより前記ベースに対するガイド部材の位置を保持させるとともに、前記光学素子ホルダと前記ガイド部材と前記付勢部材とを前記ベースに配置する前に前記光学素子ホルダと前記ガイド部材と前記付勢部材とを互いに係止する係止部材を備えていることを特徴とする光ヘッド装置。
【請求項８】
請求項１において、前記付勢部材には、前記係止部が係止され前記光学素子ホルダおよび前記付勢部材が一体品にされたときの前記付勢部材が前記付勢部によって付勢された位置から前記付勢方向へ移動することを規制する規制部を有していることを特徴とする光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置に関する。
【背景技術】
【０００２】
従来の光ヘッド装置として、レーザ光源としてのレーザ発光素子と、受光素子としてのフォトダイオードと、レーザ発光素子から出射されたレーザ光を光記録ディスクに導く往路および光記録ディスクからの反射光をフォトダイオードに導く復路の少なくとも一部を構成する光学素子としての回折格子と、レーザ発光素子、フォトダイオードおよび回折格子が搭載されたベースとしてのピックアップベースとを有する光ピックアップ装置が知られている（例えば、特許文献１参照。）。ピックアップベースには、複数の光学素子を取り付けるためのブロックベースが搭載されている。
【０００３】
また、光ピックアップ装置は、回折格子が載置される光学素子ホルダとしてのホルダと、ブロックベースに対するホルダの位置を保持可能にホルダをブロックベース側に付勢する付勢部材としての板バネとを有している。ホルダは、ブロックベースに当接する円弧状の摺動端面を有している。
【０００４】
そして、回折格子は、ホルダが円弧状の摺動端面でブロックベースに当接しながら回動させられることによって、ブロックベースに対して光軸を中心とした回転方向の角度の調整が行われる。
【特許文献１】特開２００５−２８５１６６号公報
【発明の開示】
【発明が解決しようとする課題】
【０００５】
しかしながら、上述した特許文献１に示す光ピックアップ装置においては、回折格子が取り付けられたホルダをブロックベースに当接させた状態で維持しながら、板バネを装着してホルダをブロックベース側に付勢しなければならない。故に、ホルダと板バネとの位置関係、あるいはホルダの姿勢が不安定になるという問題がある。また、作業者にとって小さいスペースでの取り付け作業が強いられるため、作業性が悪いという問題がある。
【０００６】
本発明は、従来の問題を解決するためになされたもので、ホルダと板バネとの位置関係、あるいはホルダの姿勢を安定化し、ベースに光学素子ホルダが搭載されるときの作業性を従来より向上することができる光ヘッド装置を提供することを目的とする。
【課題を解決するための手段】
【０００７】
本発明の光ヘッド装置は、レーザ光源と、受光素子と、前記レーザ光源から出射されたレーザ光を光記録ディスクに導く往路および前記光記録ディスクからの反射光を前記受光素子に導く復路の少なくとも一部を構成する光学素子と、前記レーザ光源、前記受光素子および前記光学素子が搭載されたベースとを有する光ヘッド装置において、前記光学素子が載置される光学素子ホルダと、前記ベースに対する前記光学素子ホルダの位置を保持可能に前記光学素子ホルダを前記ベース側に付勢する付勢部材とを有し、前記付勢部材は、前記光学素子ホルダおよび前記付勢部材が前記ベースに搭載されているときに弾性変形の復帰力によって前記光学素子ホルダを前記ベース側に付勢する付勢部と、前記光学素子ホルダおよび前記付勢部材が前記ベースに搭載される前に前記復帰力に抗して前記光学素子ホルダおよび前記付勢部材を一体品にさせる係止部とを有することを特徴とする。
【０００８】
また、本発明の光ヘッド装置は、レーザ光源と、受光素子と、前記レーザ光源から出射されたレーザ光を光記録ディスクに導く往路および前記光記録ディスクからの反射光を前記受光素子に導く復路の少なくとも一部を構成する光学素子と、前記レーザ光源、前記受光素子および前記光学素子が搭載されたベースとを有する光ヘッド装置であって、前記光学素子が載置される光学素子ホルダと、前記光学素子を光軸に対して調整した状態で前記光学素子ホルダを保持するガイド部材と、前記ガイド部材を前記ベース側に付勢する付勢部材と、を前記光軸に沿って前記ベースに配置することにより前記ベースに対するガイド部材の位置を保持させるとともに、前記光学素子ホルダと前記ガイド部材と前記付勢部材とを前記ベースに配置する前に前記光学素子ホルダと前記ガイド部材と前記付勢部材とを互いに係止する係止部材を備えていることを特徴とする。
【０００９】
この構成により、本発明の光ヘッド装置は、光学素子ホルダおよび付勢部材がベースに搭載される前に復帰力に抗して光学素子ホルダおよび付勢部材を一体品にさせる係止部を付勢部材が有している。また、光学素子ホルダおよび付勢部材を一体品にさせる係止部材を備えている。従って、ベースに光学素子ホルダが搭載される前に光学素子ホルダおよび付勢部材が一体品であるので、ベースに光学素子ホルダが搭載されるときの作業性を従来より向上することができる。また、本発明の光ヘッド装置は、ベースに光学素子ホルダが搭載される前に光学素子ホルダおよび付勢部材を一体品にすることにより、光学素子ホルダに対する付勢部の付勢状態を予め確認することができる。一方、光学素子ホルダをベースに当接させた後で圧縮状態の付勢部材をベースと光学素子ホルダとの間に装着する構成では、光学素子ホルダに対する付勢部の付勢状態をはっきりと視認することが困難なため、付勢部材の付勢部に付勢方向とは異なる方向の残留応力が発生していても、光学素子ホルダに対する付勢部の付勢状態を調整することなく放置する場合があった。本発明によれば、光学素子ホルダに対する付勢部の付勢状態を予め確認することにより、光学素子ホルダをベースに当接させた後で圧縮状態の付勢部材をベースと光学素子ホルダとの間に装着する構成と比較して付勢部材の付勢部に発生する付勢方向とは異なる方向の残留応力を抑えることができ、付勢力を効率的に得ることができる。また、光学素子ホルダをベースに当接させた後で圧縮状態の付勢部材をベースと光学素子ホルダとの間に装着する構成では、装着方向が限られるので、装着方向を考慮し付勢部の形状を決定する場合、その自由度が小さくなる。本発明の光ヘッド装置は、光学素子ホルダをベースに当接させた後で圧縮状態の付勢部材をベースと光学素子ホルダとの間に装着する構成と比較して、光学素子ホルダに対する付勢部材の装着方向の自由度を向上することができるので、付勢部の形状の自由度を向上することができる。
【００１０】
本発明の光ヘッド装置は、前記光学素子の光軸を中心として回転可能に前記光学素子ホルダが係合するホルダ係合部を有するガイド部材を有し、前記付勢部材は、前記ベースに対する前記光学素子ホルダおよび前記ガイド部材の位置を保持可能に前記光学素子ホルダおよび前記ガイド部材を前記ベース側に付勢し、前記ガイド部材は、前記光軸と直交する方向に前記ベース上をスライド移動可能に前記ベースに係合するベース係合部を有し、前記付勢部は、前記光学素子ホルダ、前記ガイド部材および前記付勢部材が前記ベースに搭載されているときに弾性変形の復帰力によって前記光学素子ホルダおよび前記ガイド部材を前記ベース側に付勢し、前記係止部は、前記光学素子ホルダ、前記ガイド部材および前記付勢部材が前記ベースに搭載される前に前記復帰力に抗して前記ガイド部材に係止することによって、前記光学素子ホルダ、前記ガイド部材および前記付勢部材を一体品にさせることを特徴とする。
【００１１】
この構成により、本発明の光ヘッド装置は、ガイド部材によって、光学素子ホルダに対して光学素子の光軸を中心として回転可能にできる。また、本発明の光ヘッド装置は、光学素子の光軸と直交する方向にベース上をスライド移動可能にできる。
【００１２】
また、本発明の光ヘッド装置の前記係止部は、前記一体品が前記ベースに搭載されているときに、係止が解除されることが好ましい。
【００１３】
また、本発明の光ヘッド装置の前記ベースは、前記付勢部の付勢方向に形成された一対の壁部を有し、前記一対の壁部は、前記付勢方向の隙間が前記付勢方向における前記一体品の幅より小さく形成され、前記一体品は、前記隙間内に挿入されることによって前記ベースに搭載されることが好ましい。
【００１４】
また、本発明の光ヘッド装置の前記係止部は、前記付勢部の付勢方向から係止可能に構成されていることが好ましい。
【００１５】
この構成により、本発明の光ヘッド装置は、係止部が付勢部の付勢方向以外の方向から係止するように構成されている場合と比較して、付勢部材を一体品に組み込むときに付勢部材の付勢部に付勢方向以外の方向の変形が発生することを抑えることができるので、付勢部材の付勢部に付勢方向とは異なる方向の残留応力が発生することを抑えることができ、付勢力を効率的に得ることができる。また、本発明の光ヘッド装置は、係止部が付勢部の付勢方向以外の方向から係止するように構成されている場合と異なり、付勢部が付勢力を発生しながら付勢方向以外の方向にずらされないので、付勢部が付勢力を発生しながら付勢方向以外の方向にずらされてもスムーズに付勢部材が一体品に組み込まれるための形状を付勢部が有している必要がなく、係止部が付勢部の付勢方向以外の方向から係止するように構成されている場合と比較して、付勢部の形状の自由度を向上することができ、付勢部の形状をバネ性が高い形状にすることができる。
【００１６】
また、本発明の光ヘッド装置の前記付勢部は、前記一体品が前記ベースに搭載されるときに移動させられる方向に直交して前記光学素子の光軸を通る平面と、前記光軸を通り前記平面に直交する平面とに対して面対称に形成されていることが好ましい。
【００１７】
この構成により、本発明の光ヘッド装置は、付勢部によって光学素子ホルダをバランス良く付勢することができるので、調整作業をスムーズに行わせることができる。
【００１８】
また、本発明の光ヘッド装置の前記付勢部材には、前記係止部が係止され前記光学素子ホルダおよび前記付勢部材が一体品にされたときの前記付勢部材が前記付勢部によって付勢された位置から前記付勢方向へ移動することを規制する規制部を有していることが好ましい。このように構成すると、付勢部は、規制部によって、付勢された位置から付勢方向へ移動し過ぎることを防止することができる。したがって、付勢部が、変形し過ぎて弾性力が失われることを防止することができる。
【発明の効果】
【００１９】
本発明の光ヘッド装置は、ベースに光学素子ホルダが搭載される前に光学素子ホルダおよび付勢部材が一体品であるので、ベースに光学素子ホルダが搭載されるときの作業性を従来より向上することができる。また、本発明の光ヘッド装置は、ベースに光学素子ホルダが搭載される前に光学素子ホルダおよび付勢部材を一体品にすることにより、光学素子ホルダに対する付勢部の付勢状態を予め確認することができる。本発明によれば、光学素子ホルダをベースに当接させた後で圧縮状態の付勢部材をベースと光学素子ホルダとの間に装着する構成と比較して付勢部材の付勢部に発生する付勢方向とは異なる方向の残留応力を抑えることができ、付勢力を効率的に得ることができる。本発明の光ヘッド装置は、光学素子ホルダをベースに当接させた後で圧縮状態の付勢部材をベースと光学素子ホルダとの間に装着する構成と比較して、光学素子ホルダに対する付勢部材の装着方向の自由度を向上することができるので、付勢部の形状の自由度を向上することができる。
【発明を実施するための最良の形態】
【００２０】
以下、本発明の一実施の形態について、図面を用いて説明する。
【００２１】
まず、本実施の形態に係る光ヘッド装置の構成について説明する。
【００２２】
図１は、本実施の形態に係る光ヘッド装置１０の斜視図である。図２は、光ヘッド装置１０の分解斜視図である。図３は、光ヘッド装置１０の斜視図であって、一部の部品が取り除かれた状態での図である。図４は、光ヘッド装置１０の底面図である。
【００２３】
図１に示す光ヘッド装置１０は、波長が６５０ｎｍ帯のレーザ光と、波長が７８０ｎｍ帯のレーザ光とを用いてＣＤ系ディスクやＤＶＤ系ディスクなどの図示していない光記録ディスクに対する情報の再生や記録などが可能な２波長光ヘッド装置である。
【００２４】
図１〜図４に示すように、光ヘッド装置１０は、マグネシウムや亜鉛などのダイカスト品からなる金属製の装置フレーム１１（ベース）と、装置フレーム１１に対して光記録ディスク側に配置されて装置フレーム１１上の各種の部品を覆う金属カバー１２および金属カバー１３と、波長が６５０ｎｍ帯のレーザ光を出射するＡｌＧａＩｎＰ系の半導体レーザを備えたレーザ光源としてのレーザ光源装置２１と、波長が７８０ｎｍ帯のレーザ光を出射するＡｌＧａＡｓ系の半導体レーザを備えたレーザ光源としてのレーザ光源装置２２と、レーザ光源装置２１およびレーザ光源装置２２によって出射されたレーザ光を受光するためのモニタ用受光素子２３と、光記録ディスクの記録面で反射されたレーザ光を受光するための受光素子としての信号検出用受光素子２４と、レーザ光源装置２１およびレーザ光源装置２２によって出射されたレーザ光を光記録ディスクの記録面に収束させる対物レンズ３１を含む光学系３０と、装置フレーム１１に搭載されて対物レンズ３１の位置をサーボ制御するための対物レンズ駆動機構４０と、レーザ光源装置２１、レーザ光源装置２２、モニタ用受光素子２３、信号検出用受光素子２４および対物レンズ駆動機構４０などに電気的に接続されたフレキシブル回路基板５０と、装置フレーム１１の裏面に貼り付けられて光ヘッド装置１０の内部に塵が侵入することを防止する防塵シール６０とを備えている。
【００２５】
装置フレーム１１は、光記録ディスクを駆動する図示していないディスク駆動装置のガイド軸や送りねじ軸が係合する軸受１１ａおよび軸受１１ｂと、金属カバー１２の位置決め用の突起１１ｃと、金属カバー１２を留めるための爪１１ｄとを備えている。
【００２６】
金属カバー１２は、装置フレーム１１の突起１１ｃに嵌まる穴部１２ａと、装置フレーム１１の爪１１ｄに係合する溝部１２ｂとを備えている。
【００２７】
金属カバー１３は、対物レンズ３１から出射されるレーザ光を通過させる穴部１３ａを有しており、対物レンズ駆動機構４０を覆っている。
【００２８】
レーザ光源装置２１、レーザ光源装置２２およびモニタ用受光素子２３は、装置フレーム１１に搭載されており、金属カバー１２によって覆われている。
【００２９】
光学系３０は、レーザ光源装置２１から出射されたレーザ光を透過しレーザ光源装置２２から出射されたレーザ光を反射する光路合成用の偏光プリズム３２と、レーザ光源装置２１および偏光プリズム３２の間に配置されて１／２波長板が一体に構成された回折素子３３と、レーザ光源装置２２および偏光プリズム３２の間に配置された１／２波長板が一体に構成された回折素子３４およびリレーレンズ３５と、モニタ用受光素子２３および偏光プリズム３２の間に配置されて偏光プリズム３２から出射されたレーザ光を部分反射するハーフミラー３６と、偏光プリズム３２から出射されてハーフミラー３６によって反射されたレーザ光に１／４波長の位相差を生じさせる１／４波長板３７と、１／４波長板３７を透過したレーザ光を平行光にするコリメートレンズ３８と、コリメートレンズ３８によって平行光にされたレーザ光を光記録ディスクに向けて立ち上げる立ち上げミラー３９とを含んでいる。なお、本実施の形態では、回折素子３３及び回折素子３４は、１／２波長板が一体に構成されているが、必ずしも一体に構成する必要はない。
【００３０】
偏光プリズム３２、回折素子３３、回折素子３４、リレーレンズ３５、ハーフミラー３６、１／４波長板３７、コリメートレンズ３８および立ち上げミラー３９は、装置フレーム１１に搭載されている。偏光プリズム３２、回折素子３３、回折素子３４、リレーレンズ３５、ハーフミラー３６および１／４波長板３７は、金属カバー１２によって覆われている。コリメートレンズ３８および立ち上げミラー３９は、対物レンズ駆動機構４０によって覆われている。
【００３１】
フレキシブル回路基板５０は、レーザ光源装置２１と電気的に接続される端部５０ａと、レーザ光源装置２２と電気的に接続される端部５０ｂと、モニタ用受光素子２３と電気的に接続される端部５０ｃと、信号検出用受光素子２４と電気的に接続される端部５０ｄと、対物レンズ駆動機構４０と電気的に接続される図示していない端部とを備えており、このフレキシブル回路基板５０は、部分的に折り曲げられて立体的に装置フレーム１１に搭載されて金属カバー１２によって覆われている。
【００３２】
図５は、光ヘッド装置１０の一部の底面図であって、防塵シール６０（図４参照。）が貼られていない状態での図である。図６は、光ヘッド装置１０の一部の斜視図であって、防塵シール６０が貼られていない状態での図である。図７は、光学素子としての回折素子３３を搭載した光学素子ホルダ７０と、光学素子ホルダ７０に係合するガイド部材８０および板バネ９０との正面側から見た分解斜視図である。図８は、光学素子ホルダ７０、ガイド部材８０および板バネ９０の背面側から見た分解斜視図である。
【００３３】
図５〜図８に示すように、光ヘッド装置１０は、回折素子３３が搭載される黒色の光学素子ホルダ７０と、光学素子ホルダ７０に対して回折素子３３の光軸を中心として回転可能に光学素子ホルダ７０に係合するホルダ係合部としての円弧壁８１を有する白色のガイド部材８０と、ベースとしての装置フレーム１１に対する光学素子ホルダ７０およびガイド部材８０の位置を保持可能に光学素子ホルダ７０およびガイド部材８０を装置フレーム１１側、すなわち矢印１０ａで示す回折素子３３の光軸の延在方向に付勢する付勢部材としての板バネ９０とからなるユニット１００を有している。なお、光学素子ホルダ７０、およびガイド部材８０の色は上記に限定されるものではない。
【００３４】
図９は、装置フレーム１１の底面図である。図１０は、装置フレーム１１の一部の斜視図である。
【００３５】
図５、図６、図９および図１０に示すように、装置フレーム１１は、板バネ９０の付勢力によって光学素子ホルダ７０、ガイド部材８０および板バネ９０を挟持する凹部１１ｅを有している。凹部１１ｅは、上面を形成する凹部壁１１ｆと、レーザ光源装置２１側に配置されて凹部壁１１ｆに直交する凹部壁１１ｇと、凹部壁１１ｇに対向して配置されて凹部壁１１ｆに直交する凹部壁１１ｈと、凹部壁１１ｇおよび凹部壁１１ｈの両端に配置されて凹部壁１１ｆに直交する凹部壁１１ｉとを有している。凹部壁１１ｇ、１１ｈには、それぞれ中央付近にレーザ光を通す光通穴１１ｊ、１１ｋが形成されている。また、装置フレーム１１は、光通穴１１ｋに対して光通穴１１ｊとは反対側の位置において底面に丸孔１１ｎが形成されている。
【００３６】
図１１は、光学素子ホルダ７０の正面図である。図１２は、光学素子ホルダ７０の正面側から見た斜視図である。
【００３７】
図５〜図８、図１１および図１２に示すように、光学素子ホルダ７０は、板バネ９０と係合（当接）するバネ係合壁７１と、バネ係合壁７１とは反対側の壁７２に設けられて回折素子３３が搭載される素子搭載台７３と、壁７２の４隅に設けられてガイド部材８０に係合するガイド係合部７４と、光学素子ホルダ７０が装置フレーム１１の凹部１１ｅに収納されている場合に外部に露出する部分に設けられた後述する切り欠き７５と、略中央に設けられてレーザ光を通す光通穴７６とを有している。素子搭載台７３は、ガイド部材８０の２つの円弧壁８１に係合する円弧状の２つの円弧壁７３ａと、回折素子３３と係合して光軸に直交する方向における回折素子３３の位置決めを行うための互いに直交する２つの素子位置決め壁７３ｂと、回折素子３３に塵などがかかることを防止する２つの防塵壁７３ｃと、素子搭載台７３に回折素子３３を固定する接着剤が素子搭載台７３からはみ出すことを防止するとともに接着剤の接着面積を向上させるための２つの溝部７３ｄとを有している。
【００３８】
図５〜図８に示すように、ガイド部材８０は、回折素子３３の光軸と直交する方向のうち装置フレーム１１の凹部壁１１ｆに平行な矢印１０ｂで示す方向に装置フレーム１１上をスライド移動可能に装置フレーム１１の凹部壁１１ｆ、１１ｈに係合するベース係合部としてのフレーム係合壁８２ａ、８２ｂと、フレーム係合壁８２ｂとは反対側に設けられて光学素子ホルダ７０のガイド係合部７４と係合するホルダ係合壁８３と、フレーム係合壁８２ｂおよびホルダ係合壁８３の間を貫通してレーザ光を通すことが可能で、且つ、２つの円弧状の円弧壁８１が形成された貫通穴８４と、ガイド部材８０が装置フレーム１１の凹部１１ｅに収納されている場合に外部に露出する部分の中央に設けられた後述する円弧状の円弧切り欠き８５と、ガイド部材８０が装置フレーム１１の凹部１１ｅに収納されている場合に外部に露出する部分の両端に設けられてホルダ係合壁８３側が閉じた２つの切り欠き８６と、板バネ９０を係止する係止爪８７と、板バネ９０が近づきすぎることを防止するために板バネ９０に形成された規制部としてのストッパ９２ｂに当接するストッパ８８とを有している。円弧切り欠き８５は、ガイド部材８０に対して光学素子ホルダ７０を回折素子３３の光軸を中心として回転させる回転治具の支点が配設されるための部分である。また、円弧切り欠き８５は、回折素子３３の光軸を中心とした円周方向に円弧壁８１を延長して形成される仮想円の内側に形成されている。係止爪８７は、傾斜面８７ａが形成されている。
【００３９】
板バネ９０は、装置フレーム１１の凹部１１ｅに挿入されて弾性変形してその復帰力によって光学素子ホルダ７０を装置フレーム１１側に付勢する２つの付勢部９１と、付勢部９１の外側で付勢部９１側と同じ側に延在する２つの延在部９２と、板バネ９０が装置フレーム１１の凹部１１ｅに収納されている場合に外部に露出する部分に設けられて組立時に作業者によって押されるための操作部９３と、付勢部９１を内側に形成して延在部９２および操作部９３を外側に形成したリング状の枠部９４とを有している。板バネ９０は、一枚の金属板から形成されている。延在部９２は、ガイド部材８０の係止爪８７に係止する係止部としての係止穴９２ａと、ガイド部材８０のストッパ８８に当接してガイド部材８０に近づきすぎることを防止するストッパ９２ｂとを有している。なお、本実施の形態では、係止爪８７と係止穴９２ａとにより係止部材を構成している。枠部９４は、装置フレーム１１の凹部壁１１ｆに係合するフレーム係合壁９４ａと、付勢部９１とは反対側に設けられて装置フレーム１１の凹部壁１１ｇに係合するフレーム係合壁９４ｂと、中央に設けられてレーザ光を通す光通穴９４ｃとを有している。操作部９３は、図４に示すように防塵シール６０が貼り付けられる。
【００４０】
次に、装置フレーム１１に対する回折素子３３の固定方法について説明する。
【００４１】
まず、回折素子３３は、光学素子ホルダ７０の素子搭載台７３に形成された互いに直交する２つの素子位置決め壁７３ｂに当接させられて、接着剤によって素子搭載台７３に接着固定される。
【００４２】
回折素子３３が接着固定された光学素子ホルダ７０は、若干突出形成されたガイド係合部７４でガイド部材８０のホルダ係合壁８３と係合して切り欠き７５がガイド部材８０の円弧切り欠き８５と繋がるように、ガイド部材８０の貫通穴８４に素子搭載台７３が挿入されることによって、ガイド部材８０と組み合わされる。
【００４３】
図１３は、光学素子ホルダ７０、ガイド部材８０および板バネ９０の一体品としてのユニット１００の正面側から見た斜視図である。図１４は、ユニット１００の背面側から見た斜視図である。
【００４４】
次いで、板バネ９０は、光学素子ホルダ７０およびガイド部材８０のユニット１００に対して矢印１０ａで示す回折素子３３の光軸の延在方向に移動させられて、２つの延在部９２がガイド部材８０の係止爪８７の傾斜面８７ａに摺動しながら弾性変形した後、図１３および図１４に示すように延在部９２の係止穴９２ａにガイド部材８０の係止爪８７が嵌められる。このとき、板バネ９０は、付勢部９１で光学素子ホルダ７０のバネ係合壁７１に係合する。また、板バネ９０は、延在部９２のストッパ９２ｂがガイド部材８０のストッパ８８に当接することによって、ガイド部材８０側に行き過ぎることを防止することができる。したがって、板バネ９０は、付勢部９１が変形し過ぎて弾性力が失われることを防止することができる。
【００４５】
図１５は、光学素子ホルダ７０、ガイド部材８０および板バネ９０からなるユニット１００の正面側から見た斜視図であって、図１３とは異なる状態の図である。
【００４６】
次いで、光学素子ホルダ７０、ガイド部材８０および板バネ９０のユニット１００は、図１５に示すように矢印１０ａで示す回折素子３３の光軸の延在方向に縮められた状態で、図５および図６に示すように、ガイド部材８０のフレーム係合壁８２ａ、８２ｂが装置フレーム１１（図９および図１０参照。）の凹部壁１１ｆ、１１ｈ（図９および図１０参照。）に係合するとともに、板バネ９０のフレーム係合壁９４ａ、９４ｂが装置フレーム１１の凹部壁１１ｆ、１１ｇ（図９および図１０参照。）に係合するように、矢印１０ａで示す方向と、矢印１０ｂで示す方向との双方に直交する矢印１０ｃで示す方向から凹部１１ｅ（図９および図１０参照。）に挿入される。このとき、ユニット１００は、作業者によって板バネ９０の操作部９３が押されることによって、装置フレーム１１の凹部１１ｅに挿入される。また、板バネ９０は、延在部９２のストッパ９２ｂがガイド部材８０のストッパ８８に当接することによって、ガイド部材８０側に行き過ぎることを防止することができる。したがって、板バネ９０は、付勢部９１が変形し過ぎて弾性力が失われることを防止することができる。
【００４７】
また、装置フレーム１１の凹部壁１１ｇ、１１ｈは、板バネ９０の付勢部９１の付勢方向に形成された一対の壁部を構成しており、矢印１０ａで示す付勢部９１の付勢方向の隙間が矢印１０ａで示す付勢方向におけるユニット１００の幅より小さく形成されている。したがって、ユニット１００は、装置フレーム１１に搭載されるとき、図１５に示すように矢印１０ａで示す回折素子３３の光軸の延在方向に縮められた状態である必要がある。なお、ユニット１００は、図１５に示すように矢印１０ａで示す回折素子３３の光軸の延在方向に縮められた状態であるとき、ガイド部材８０の係止爪８７と、板バネ９０の延在部９２の係止穴９２ａとからなる係止部材の係止が解除されている。
【００４８】
（回折素子３３の光軸と直交する矢印１０ｂで示す方向の位置の調整）
そして、ユニット１００は、ガイド部材８０のフレーム係合壁８２ａ、８２ｂが装置フレーム１１の凹部壁１１ｆ、１１ｈ（図９および図１０参照。）に係合しながら、矢印１０ｂで示す方向に移動させられる。これによって、光学素子ホルダ７０に搭載された回折素子３３は、矢印１０ｂで示す方向の位置が調整される。
【００４９】
ここで、ユニット１００は、光学素子ホルダ７０のバネ係合壁７１が板バネ９０の付勢部９１によって装置フレーム１１の凹部壁１１ｈ側に付勢されているので、ガイド部材８０のフレーム係合壁８２ｂが装置フレーム１１の凹部壁１１ｈに係合しながら安定して移動させられることができる。
【００５０】
回折素子３３の光軸と直交する矢印１０ｂで示す方向の位置の調整が終了すると、ガイド部材８０は、切り欠き８６に紫外線硬化型接着剤が塗布されて、紫外線硬化型接着剤によって装置フレーム１１と接着固定される。これによって、ガイド部材８０が装置フレーム１１に対して移動できなくなるので、ガイド部材８０と組み合わさっている光学素子ホルダ７０と、光学素子ホルダ７０に搭載された回折素子３３とは、装置フレーム１１に対して矢印１０ｂで示す方向に移動することができなくなる。
【００５１】
（回折素子３３の光軸を中心とした回転方向の角度の調整）
ガイド部材８０が紫外線硬化型接着剤によって固定されると、光学素子ホルダ７０は、素子搭載台７３の円弧壁７３ａがガイド部材８０の円弧壁８１に係合しながら、回折素子３３の光軸を中心として回転させられる。これによって、光学素子ホルダ７０に搭載された回折素子３３は、光軸を中心とした回転方向の角度が調整される。なお、光学素子ホルダ７０は、図示していない回転治具の支点がガイド部材８０の円弧切り欠き８５に配設されて、回転治具の作用点が切り欠き７５に配設された状態で、回転治具が支点を中心として回転させられることによって、回転させられる。
【００５２】
ここで、光学素子ホルダ７０は、バネ係合壁７１が板バネ９０の付勢部９１によってガイド部材８０のホルダ係合壁８３側に付勢されているので、ガイド係合部７４がガイド部材８０のホルダ係合壁８３に係合しながら安定して回転させられることができる。
【００５３】
回折素子３３の光軸を中心とした回転方向の角度の調整が終了すると、紫外線硬化型接着剤が装置フレーム１１の凹部壁１１ｉの近傍に塗布されて、紫外線硬化型接着剤によって装置フレーム１１、光学素子ホルダ７０、ガイド部材８０および板バネ９０が互いに接着固定される。これによって、光学素子ホルダ７０が装置フレーム１１に対して移動できなくなるので、光学素子ホルダ７０に搭載された回折素子３３は、装置フレーム１１に対して光軸を中心として回転することができなくなる。
【００５４】
最後に、図４に示すように、防塵シール６０が板バネ９０の操作部９３に貼り付けられる。
【００５５】
以上に説明したように、光ヘッド装置１０は、装置フレーム１１に光学素子ホルダ７０が搭載される前に光学素子ホルダ７０、ガイド部材８０および板バネ９０がユニット１００であるので、装置フレーム１１に光学素子ホルダ７０が搭載されるときの作業性を従来より向上することができる。
【００５６】
また、光ヘッド装置１０は、装置フレーム１１に光学素子ホルダ７０が搭載される前に光学素子ホルダ７０、ガイド部材８０および板バネ９０がユニット１００であるので、光学素子ホルダ７０に対する付勢部９１の付勢状態を予め確認することができる。一方、光学素子ホルダ７０およびガイド部材８０を装置フレーム１１に当接させた後で圧縮状態の板バネ９０を装置フレーム１１と光学素子ホルダ７０との間に装着する構成では、光学素子ホルダ７０に対する付勢部９１の付勢状態をはっきりと視認することが困難なため、板バネ９０の付勢部９１に付勢方向とは異なる方向の残留応力が発生していても、光学素子ホルダ７０に対する付勢部９１の付勢状態調整することなく放置する場合があった。本発明によれば、光学素子ホルダ７０およびガイド部材８０を装置フレーム１１に当接させた後で圧縮状態の板バネ９０を装置フレーム１１と光学素子ホルダ７０およびガイド部材８０との間に装着する構成と比較して、板バネ９０の付勢部９１に付勢方向とは異なる方向の残留応力が発生することを抑えることができ、付勢力を効率的に得ることができる。また、光学素子ホルダ７０およびガイド部材８０を装置フレーム１１に当接させた後で圧縮状態の板バネ９０を装置フレーム１１と光学素子ホルダ７０との間に装着する構成では、装着方向が限られるので、装着方向を考慮し付勢部９１の形状を決定する場合、その自由度が小さくなる。光ヘッド装置１０は、光学素子ホルダ７０およびガイド部材８０を装置フレーム１１に当接させた後で圧縮状態の板バネ９０を装置フレーム１１と光学素子ホルダ７０との間に装着する構成と比較して、光学素子ホルダ７０に対する板バネ９０の装着方向の自由度を向上することができるので、付勢部９１の形状の自由度を向上することができる。
【００５７】
また、板バネ９０の係止穴９２ａは、付勢部９１の付勢方向から係止可能に構成されている。したがって、光ヘッド装置１０は、板バネ９０の係止穴９２ａが付勢部９１の付勢方向以外の方向から係止するように構成されている場合と比較して、板バネ９０をユニット１００に組み込むときに板バネ９０の付勢部９１に付勢方向以外の方向の変形が発生することを抑えることができるので、板バネ９０の付勢部９１に付勢方向とは異なる方向の残留応力が発生することを抑えることができ、付勢力を効率的に得ることができる。
【００５８】
また、光ヘッド装置１０は、板バネ９０の係止穴９２ａが付勢部９１の付勢方向以外の方向から係止するように構成されている場合と異なり、付勢部９１が付勢力を発生しながら付勢方向以外の方向にずらされないので、付勢部９１が付勢力を発生しながら付勢方向以外の方向にずらされてもスムーズに板バネ９０がユニット１００に組み込まれるための形状を付勢部９１が有している必要がなく、係止穴９２ａが付勢部９１の付勢方向以外の方向から係止するように構成されている場合と比較して、付勢部９１の形状の自由度を向上することができ、付勢部９１の形状をバネ性が高い形状にすることができる。
【００５９】
また、板バネ９０の付勢部９１は、ユニット１００が装置フレーム１１に搭載されるときに移動させられる矢印１０ｃで示す方向に直交して回折素子３３の光軸を通る平面と、光軸を通り平面に直交する平面とに対して面対称に形成されている。したがって、光ヘッド装置１０は、板バネ９０の付勢部９１によって光学素子ホルダ７０をバランス良く付勢することができるので、調整作業をスムーズに行わせることができる。
【００６０】
また、板バネ９０は、延在部９２のストッパ９２ｂがガイド部材８０のストッパ８８に当接することによって、ガイド部材８０側に行き過ぎることを防止することができる。したがって、板バネ９０は、付勢部９１が変形し過ぎて弾性力が失われることを防止することができる。
【００６１】
なお、ユニット１００は、光学素子ホルダ７０、ガイド部材８０および板バネ９０の３部品によって構成されているが、回折素子３３を保持するホルダと、このホルダに係止される板バネとの２部品によって構成されていても良い。その場合には、ガイド部材８０の係止爪８７と同様の係止爪を光学素子ホルダ７０に設け、その係止爪によって板バネ９０の係止穴９２ａに係止する構成になる。
【図面の簡単な説明】
【００６２】
【図１】本発明の一実施の形態に係る光ヘッド装置の斜視図である。
【図２】図１に示す光ヘッド装置の分解斜視図である。
【図３】図１に示す光ヘッド装置の斜視図であって、一部の部品が取り除かれた状態での図である。
【図４】図１に示す光ヘッド装置の底面図である。
【図５】図１に示す光ヘッド装置の一部の底面図であって、防塵シールが貼られていない状態での図である。
【図６】図１に示す光ヘッド装置の一部の斜視図であって、防塵シールが貼られていない状態での図である。
【図７】図５に示す光学素子ホルダ、ガイド部材および板バネの正面側から見た分解斜視図である。
【図８】図５に示す光学素子ホルダ、ガイド部材および板バネの背面側から見た分解斜視図である。
【図９】図１に示す装置フレームの底面図である。
【図１０】図１に示す装置フレームの一部の斜視図である。
【図１１】図５に示す光学素子ホルダの正面図である。
【図１２】図５に示す光学素子ホルダの正面側から見た斜視図である。
【図１３】図５に示す光学素子ホルダ、ガイド部材および板バネのユニットの正面側から見た斜視図である。
【図１４】図１３に示すユニットの背面側から見た斜視図である。
【図１５】図１３に示すユニットの正面側から見た斜視図であって、図１３とは異なる状態の図である。
【符号の説明】
【００６３】
１０  光ヘッド装置
１１  装置フレーム（ベース）
１１ｇ、１１ｈ  凹部壁（一対の壁部）
２１、２２  レーザ光源装置（レーザ光源）
２４  信号検出用受光素子（受光素子）
３３  回折素子（光学素子）
７０  光学素子ホルダ
８０  ガイド部材
８１  円弧壁（ホルダ係合部）
８２ａ、８２ｂ  フレーム係合壁（ベース係合部）
８７  係止爪（係止部材）
９０  板バネ（付勢部材）
９１  付勢部
９２ａ  係止穴（係止部、係止部材）
９２ｂ  ストッパ（規制部）
１００  ユニット（一体品）
【図１】
2010033625.tif 000003
【図２】
2010033625.tif 000004
【図３】
2010033625.tif 000005
【図４】
2010033625.tif 000006
【図５】
2010033625.tif 000007
【図６】
2010033625.tif 000008
【図７】
2010033625.tif 000009
【図８】
2010033625.tif 000010
【図９】
2010033625.tif 000011
【図１０】
2010033625.tif 000012
【図１１】
2010033625.tif 000013
【図１２】
2010033625.tif 000014
【図１３】
2010033625.tif 000015
【図１４】
2010033625.tif 000016
【図１５】
2010033625.tif 000017